(57)【要約】【課題】使用者の足の障害や怪我の状況に合わせてステップ板上面の角度を変更できる車いすを提供する。【解決手段】ステップ板連結部材本体５Ａの前面からそれぞれ縦向きの突出板部６，６，６を前方に向けて差し出し、前記３つの突出板部６，６，６間には、スペーサー７Ａ，７Ａを回動自在に各突出板部６，６，６に面接触した状態で介在させ、突出板部６，６，６とスペーサー７Ａ，７Ａとに雄ねじ１７，１７を差し渡し、該雄ねじ１７，１７の先端にステップ板１２が接続されるようにした。【選択図】  図２
2011067560.tif 000002
【特許請求の範囲】
【請求項１】
ステップ板を前後方向に傾動自在とした車椅子用ステップ板の支持構造であって、
車椅子の前端部から差し出されたステップ板支持杆の先端部に、ステップ板連結部材を取り付け、該ステップ板連結部材本体からは、左右方向に間隔をおいて並んだ複数の突出板部を差し出し、各突出板部には円弧状に湾曲したガイド長孔を設け、また前記突出板部間には、該突出板部間に差し渡された回動軸を中心にして前後方向に回動自在とされた板状のスペーサーを各突出板部と面接触状に配置し、さらに各突出板部のガイド長孔に挿通され、かつ該スペーサーに貫設された雄ねじと、該雄ねじに螺着する雌ねじとで前記突出板部及び前記スペーサーを緊締し、また該雄ねじの一端にはステップ板を接続し、
前記雄ねじが前記突出板部の前記ガイド長孔に案内されて円弧状に往復動すると、これに伴い前記スペーサーが前後方向に回動すると共に該雄ねじに接続された前記ステップ板が前後方向に傾動することを特徴とする車椅子用ステップ板の支持構造。
【請求項２】
前記雄ねじの一端部に、前後方向に開口した挿通孔を有するスライド杆支持部を螺着し、該挿通孔にステップ板が取り付けられたスライド杆を挿通することにより、該雄ねじの一端にステップ板を接続し、
さらに該雄ねじと該雄ねじに螺着する前記雌ねじとで前記スライド杆支持部を緊締して前記挿通孔を縮径させて前記スライド杆を締め付ける請求項１記載の車椅子用のステップ板支持構造。
【請求項３】
前記スライド杆を筒形状とし、該筒形状のスライド杆内に挿通した枢軸を、前記ステップ板に設けられた前後一対の軸受け部で軸支することにより、該ステップ板が該枢軸を中心にして上下回動するようにした請求項２記載の車椅子用のステップ板支持構造。
【発明の詳細な説明】
【技術分野】
【０００１】
本発明は、車椅子用ステップ板の支持構造に関するものである。
【背景技術】
【０００２】
従来、車椅子の前端部には、着座した使用者が足を乗せる略水平なステップ板が設けられている。また、該ステップ板は、通常、使用者が乗り降りする場合又は使用者自ら足を使って自走する場合などの使用状況に合わせて邪魔とならないよう跳ね上げ自在とされている（特許文献１）。
【先行技術文献】
【特許文献】
【０００３】
【特許文献１】特開２００４−８１３９６号公報
【発明の概要】
【発明が解決しようとする課題】
【０００４】
しかしながら、上記構成において、使用者の足の障害又は怪我の状態によっては、上手にステップ板に沿わせて足を載せることができず、使用時におけるステップ板の位置やステップ板上面の角度が合わずに使用者の足の裏をステップ板で適切に支持できない場合があった。例えば、足首に障害等がある場合には、足の裏が通常とは異なる方向に向くことがある。
そこで、本発明は、上記問題を解決することができる車椅子用ステップ板の支持構造を提供することを目的とする。
【課題を解決するための手段】
【０００５】
本発明は、上記問題を解決すべくなされたものであり、ステップ板を前後方向に傾動自在とした車椅子用ステップ板の支持構造であって、車椅子の前端部から差し出されたステップ板支持杆の先端部に、ステップ板連結部材を取り付け、該ステップ板連結部材本体からは、左右方向に間隔をおいて並んだ複数の突出板部を差し出し、各突出板部には円弧状に湾曲したガイド長孔を設け、また前記突出板部間には、該突出板部間に差し渡された回動軸を中心にして前後方向に回動自在とされた板状のスペーサーを各突出板部と面接触状に配置し、さらに各突出板部のガイド長孔に挿通され、かつ該スペーサーに貫設された雄ねじと、該雄ねじに螺着する雌ねじとで前記突出板部及び前記スペーサーを緊締し、また該雄ねじの一端にはステップ板を接続し、前記雄ねじが前記突出板部の前記ガイド長孔に案内されて円弧状に往復動すると、これに伴い前記スペーサーが前後方向に回動すると共に該雄ねじに接続された前記ステップ板が前後方向に傾動することを特徴とする車椅子用ステップ板の支持構造である。
【０００６】
このようにステップ板が前後に傾動可能となると、車椅子に着座した使用者の足の状態に合わせて適切に足の裏をステップ板上面で支持することができる。なお、該ステップ板が傾動する際には、該スペーサーと該突出板部との間で摩擦力が生じて適度な回転トルクが与えられるため、突出板部及びスペーサーの締め付け力を調節することにより該ステップ板の傾動操作性に要する力の強弱を調節したり、あるいは回転トルクが生じない状態でステップ板を所望の角度位置とし、その後回動不能となるまで該回転トルクを増大させてステップ板を固定したりすることができる。具体的にステップ板の傾動時の回転トルクを増大させたい場合は、突出板部とスペーサーとを強めに緊締して突出板部とスペーサーとの摩擦力を増大させる。一方、前記回転トルクを減少させたい場合は、突出板部とスペーサーとを弱めに緊締して突出板部とスペーサーとの摩擦力を減少させる。
【０００７】
また、前記雄ねじの一端部に、前後方向に開口した挿通孔を有するスライド杆支持部を螺着し、該挿通孔にステップ板が取り付けられたスライド杆を挿通することにより、該雄ねじの一端にステップ板を接続し、さらに該雄ねじと該雄ねじに螺着する前記雌ねじとで前記スライド杆支持部を緊締して前記挿通孔を縮径させて前記スライド杆を締め付けるようにしてもよい。
【０００８】
かかる構成にあっては、前記スライド杆支持部の締め付け力を調節して前記挿通孔の孔径を変更することにより、スライド杆をスライド杆支持部に対して前後動可能としたり、前後動不能に固定したりすることができる。例えば、スライド杆支持部を強めに緊締してスライド杆を強く締め付けるとスライド杆はスライド杆支持部に固定され、一方該スライド杆の締め付け力を弱めると該スライド杆支持部に対して前後動可能となる。かくして上記構成によれば、使用者の体格等に合わせて適宜ステップ板の前後位置を調整できる。なお、上記構成では、前記雄ねじと前記雌ねじとにより突出板部、スペーサー、及びスライド杆支持部が緊締されるため、該スライド杆支持部の締め付け力を増大させる操作により、同時に突出板部とスペーサーの締め付け力が増大することとなり、一方スライド杆支持部の締め付け力を減少させる操作により、同時に突出板部とスペーサーの締め付け力が減少することとなる。
【０００９】
さらに、前記スライド杆を筒形状とし、該筒形状のスライド杆内に挿通した枢軸を、前記ステップ板に設けられた前後一対の軸受け部で軸支することにより、該ステップ板が該枢軸を中心にして上下回動するようにした構成としてもよい。
【００１０】
かかる構成とすることにより、該ステップ板を使用状況に合わせて適宜跳ね上げた状態とすることができる。
【発明の効果】
【００１１】
本発明の車椅子用のステップ板支持構造は、ステップ板を前後方向に傾動させることができ、使用者の足の障害や怪我の状況に合わせてステップ板上面の角度を変更することができる。
【図面の簡単な説明】
【００１２】
【図１】車椅子用のステップ板支持構造を示す外観斜視図
【図２】車椅子用のステップ板支持構造を示す分解斜視図
【図３】ステップ板の傾動状況を示す説明図
【発明を実施するための形態】
【００１３】
本発明の実施例を添付図面に従って説明する。
図１等に示すように、車椅子（図示省略）から差し出された鉛直方向の金属製ステップ板支持杆２は、円筒状の主管２Ａと、該主管２Ａの下端から挿入される螺子棒２Ｂと、該螺子棒２Ｂに装着されるワッシャ２Ｃと、該螺子棒２Ｂに螺着されるアングルヘッド２Ｄとで構成されている。
【００１４】
一方、上記ステップ板支持杆２に支持されるステップ板１２は、ベースステップ部１２Ａと、該ベースステップ部１２Ａに被着されるスライドステップ部１２Ｂとを具備し、該ベースステップ部１２Ａの側縁部には、前後一対の軸受け部１４，１４が設けられている。なお、図２に示すように、前記ベースステップ部１２Ａの中央部には、ガイド孔１３が左右方向に形成されており、該ガイド孔１３を介して前記スライドステップ部１２Ｂが固定具１３Ａによってベースステップ部１２Ａに固定されている。該スライドステップ部１２Ｂは、固定具１３Ａを取り外した状態で、前記ベースステップ部１２Ａに対して左右方向に位置をずらすことができ、ステップ板１２の左右幅を適宜変更することが可能である。
【００１５】
次に、本発明の要部にかかる車椅子用ステップ板の支持構造１（以下、適宜支持構造１という。）について詳述する。
上記ステップ板支持杆２の主管２Ａの下端部には、弾性を有する合成樹脂材料で構成されたステップ板連結部材５が取り付けられている。具体的には、ステップ板連結部材本体５Ａに主管取付用貫通孔５Ｂが鉛直方向に形成され、該主管取付貫通孔５Ｂに前記主管２Ａが挿通され、さらに左右方向に差し渡される緊締手段１５Ａ，１５Ａによって該主管２Ａが締め付けられてステップ板支持杆２に固定されている。
【００１６】
また、前記ステップ板連結部材本体５Ａの前面には３本の縦溝５Ｃ，５Ｃ，５Ｃが左右方向に間隔をおいて並んで形成され、各縦溝５Ｃ，５Ｃ，５Ｃに舌形状の板材がそれぞれ差し込まれ、該板材が左右方向に差し渡された緊締手段１５Ｂ，１５Ｂによって固定されることにより、ステップ板連結部材本体５Ａからそれぞれ縦向きで前方へ差し出された突出板部６，６，６が構成されている。なお、前記緊締手段１５Ａ，１５Ｂは、雄ねじとこれに螺着する雌ねじ（第二挟持部材９Ｂに隠れて見えない）とで構成されている。
【００１７】
また、各突出板部６には、円弧状に湾曲した上下一対のガイド長孔１６Ａ，１６Ａが設けられている。具体的には、図２に示すように、上に凸のガイド長孔１６Ａが上側に配置され、下に凸のガイド長孔１６Ａが下側に配置されている。
【００１８】
また、前記３つの突出板部６，６，６間には、円板状のスペーサー７Ａ，７Ａが各突出板部６，６，６に面接触した状態で介在している。さらに、該スペーサー７Ａは、各突出板部６の中央孔１６Ｂを介して突出板部６，６，６間に差し渡された回動軸（図示略）を中心にして前後方向に回動可能とされている。
【００１９】
また、最も外側に位置する突出板部６の外側面にはカバー部材７Ｂが配置され、上下に配置される一対の雄ねじ１７，１７が、該カバー部材７Ｂ、各突出板部６，６，６、及び各スペーサー７Ａ，７Ａを貫くようにして左右方向に差し渡されている。ここで、前記雄ねじ１７，１７は、前記スペーサー７Ａ，７Ａに対しては取付孔１７Ａ，１７Ａを介して貫設され、固定されている。一方、各突出板部６に対しては各ガイド長孔１６Ａ，１６Ａ，１６Ａに挿通されることにより非固定状態とされている。
【００２０】
さらに、前記雄ねじ１７，１７の先端部には、スライド杆支持部９が螺着されている。該スライド杆支持部９は、図２に示すように、対向状に配置される第一挟持部材９Ａと第二挟持部材９Ｂとからなり、両挟持部材９Ａ，９Ｂによって前後方向に配向された筒状のスライド杆１０が挟持されている。具体的には、上記の両挟持部材９Ａ，９Ｂは、互いに向かい合う面にガイド溝１９Ａ，１９Ｂが凹設されており、該ガイド溝１９Ａ，１９Ｂが突き合わされてなる前後方向の挿通孔１９内に前記スライド杆１０が挿通されている。また、該スライド杆１０の上下面はそれぞれ平滑面１０Ｂ，１０Ｂとされ、該スライド杆支持部９に対して該スライド杆１０が軸線周りに遊転することなく該スライド杆支持部９に対して前後動自在とされている。
【００２１】
さらに、前記スライド杆１０の前後端にはそれぞれ貫通孔１１Ａが設けられたキャップ部材１１，１１が取り付けられており、該スライド杆１０と両キャップ部材１１，１１とが、前記ステップ板１２の前後一対の軸受け部１４，１４間に配置され、なおかつ、雄ねじで構成される枢軸２５が、該軸受け部１４，１４の軸孔１４Ａ，１４Ａ、キャップ部材１１，１１の貫通孔１１Ａ，１１Ａ、及び、スライド杆１０の内部１０Ａに各々挿通され、さらに雌ねじ等で構成される固定具１６で適正に締め付け固定されて、軸受け部１４，１４に軸支されている。かかる構成により、ステップ板１２が枢軸２５を中心にして上下動可能とされている。
【００２２】
さらに、前記第二挟持部材９Ｂのステップ板１２側の側面（隠れて見えない）には、前記雄ねじ１７に螺着する雌ねじ（第二挟持部材９Ｂによって隠れて見えない）が配置され、かかる雄ねじ１７及び雌ねじによって、前記突出板部６，６，６、スペーサー７Ａ，７Ａ、及びスライド杆支持部９が緊締されている。
かくして、上記構成により、雄ねじ１７，１７の先端にステップ板１２が接続されることとなる。
【００２３】
これまでに述べた支持構造１にあって、前記雄ねじ１７，１７が、前記突出板部６，６，６の前記ガイド長孔１６Ａ，１６Ａ，１６Ａによって案内されながら円弧状に往復動すると、これに伴ってスペーサー７Ａ，７Ａが該突出板部６，６，６と面接触しながら回動すると共に該雄ねじ１７，１７に接続された前記ステップ板１２が前後方向に傾動する（図３ａ〜ｃ参照）。したがって、例えば、略水平位置（図３ａ）、後方に傾けた位置（図３ｂ）、または前方に傾けた位置（図３ｃ）として、使用者の足の状態に合わせてステップ板１２を前後方向に傾動させてステップ板上面の角度を前後方向で変化させれば、適切に足の裏をステップ板１２の上面で支持できることとなる。なお、ガイド長孔１６Ａの長手方向の長さによって、ステップ板１２の回動角度範囲が規定される。
【００２４】
前記ステップ板１２を図３のように傾動させるときには、前記スペーサー７Ａと前記突出板部６との間で摩擦力が生じて適度な回転トルクが与えられるところ、前記雄ねじ１７とこれに螺着する雌ねじとを操作して前記突出板部６，６，６を僅かに撓ませながら突出板部６，６，６の間隔を変化させると、該突出板部６，６，６と前記スペーサー７Ａ，７Ａとの間で生ずる摩擦力が増減し、前後方向に傾動するステップ板１２の回転トルクを調節することができる。例えば、ステップ板１２の前後方向の傾動の回転トルクを増大させたい場合は、突出板部６，６，６及びスペーサー７Ａ，７Ａを強めに締め付ける。またステップ板１２を所定角度位置で固定させる場合は、さらに強く締め付けて該スペーサー７Ａを回動不能とする。一方、前記回転トルクを減少させる場合は、逆の操作を行う。
【００２５】
また、上述の操作により前記雄ねじ１７と雌ねじとによる締め付け力を強めると、同時にスライド杆支持部９の挿通孔１９が縮径してスライド杆１０が強く締め付けられることとなる。したがって、ステップ板１２が傾動不能に固定されると共に該スライド杆支持部９に対して前後動不能に固定されることとなり、ステップ板１２の角度や位置が定められる。逆に、前記雄ねじ１７と雌ねじとによる締め付け力を弱めると、同時に挿通孔１９による締め付けが弱まって前記スライド杆１０がスライド杆支持部９に対して前後動可能となる。したがって、使用者の体格や足の状態に合わせて、ステップ板１２を前後方向に傾動させながら、前後位置も適宜変更することができる。なお、ステップ板連結部材５において本体５Ａと突出板部６とを別体で構成すると、突出板部６やスペーサー７Ａの部品交換が容易であるし、突出板部６，６，６の間隔を細かく調整して締付け力の微妙な調整が可能となる。
【００２６】
さらに、ステップ板１２は前記枢軸２５を中心にして回動可能であるため、該ステップ板１２を使用状況に合わせて適宜跳ね上げた状態とすることができる。跳ね上げ時の回転トルクは、軸受け部１４の内側面とキャップ部材１１の外側面との間で生じる摩擦力により付与される。
【００２７】
なお、本発明は、上記実施例に限定されるものではなく、本発明の主旨を逸脱しない範囲で適宜設計変更できる。例えば、上記実施例のステップ板連結部材５は本体５Ａと突出板部６とが別体で構成されているが、一体構造の成型品であってもよい。
【符号の説明】
【００２８】
１      車椅子用ステップ板の支持構造
２      ステップ板支持杆
５      ステップ板連結部材
５Ａ    ステップ板連結部材本体
６      突出板部
７Ａ    スペーサー
９      スライド杆支持部
１０    スライド杆
１２    ステップ板
１４    軸受け部
１６Ａ  ガイド長孔
１７    雄ねじ
１９    挿通孔
２５    枢軸
【図１】
2011067560.tif 000003
【図２】
2011067560.tif 000004
【図３】
2011067560.tif 000005